(57)【要約】      （修正有）【課題】ベルトコンベヤに於ける縦型ローラの上位端側に堆積した粉塵がローラ内部にダストや水滴が侵入することによりローラのスムーズな回転を阻害するなどの故障になるのを防止する縦型ローラの堆積物除去装置を提供する。【解決手段】ベルトコンベヤＢのキャリヤベルトｂの両側縁外側に設けてある柱材９に上下両端からベルトｂの側縁に向く上側アーム１０及び下側アーム１１を有する支持構造体１２の上下間中央を水平な支軸３を介し傾動自在に取り付け、上側アーム１０及び下側アーム１１の尖端に縦型ローラＡのセンタ支軸の上下端を支持したベルトの蛇行調整装置において、縦型ローラＡの端面或いは上側アーム１０や下側アーム１１の縦型ローラＡに対向する位置に堆積した粉塵堆積物を破砕する突起体Ｔを設けた。【選択図】図１
0003220709.tif 000002
【実用新案登録請求の範囲】
【請求項１】
ベルトコンベヤのキャリヤベルトの両側縁外側に設けてある柱材に上下両端からベルトの側縁に向く上側アーム及び下側アームを有する支持構造体の上下間中央を水平な支軸を介し傾動自在に取り付け、上記上側アーム及び下側アームの尖端に縦型ローラのセンタ支軸の上下端を支持したベルトの蛇行調整装置において、上記ローラの端面或いは上側アームや下側アームの上記ローラに対向する位置に堆積した粉塵堆積物を破砕する突起体を設けたことを特徴とする縦型ローラの堆積物除去装置。
【請求項２】
前記突起体が、先端先細り形状になり、その先細り尖端がローラの周面方向に向けたことを特徴とする請求項１に記載の縦型ローラの堆積物除去装置。
【考案の詳細な説明】
【技術分野】
【０００１】
この考案は、例えば、ベルトコンベヤに於けるベルトの蛇行を調整する手段に用いる縦型ローラの端に堆積する堆積物を除去する装置に関する。
【背景技術】
【０００２】
上述のように、ガイドローラに代表されるベルト蛇行調整ローラは、周知のように縦型が使用されている。
【０００３】
そして、例えばコンベヤフレームに取り付けてあるブラケットの上下端から同方向に突出する上側アーム及び下側アームの各先端部に縦型ローラの中心に貫通するセンタ軸の上下端を不回転状態に支持している（特許文献１及び添付図面の図６参照）。
【先行技術文献】
【特許文献】
【０００４】
【特許文献１】特開２０１５−１４５２９１号公報
【考案の概要】
【考案が解決しようとする課題】
【０００５】
ところで、特許文献１のように、縦型に用いたローラの上位端側に堆積した粉塵を放置しておくと、ローラ内部にダストや水滴が侵入し、その結果ローラ内部ベアリングが破損して、ローラのスムーズな回転を阻害するなどの故障原因になる。
【０００６】
この原因にともない、ベルトの走行が続行すると、不回転のローラにベルトの側縁が押し付けられ、この押し付けた状況下のベルトの走行にともないベルトの側縁が摩滅してベルトの耐久性を損なうことになる。
【０００７】
特に、ローラ端側の堆積した粉塵や巻き込んだ粉塵がローラのシール部に侵入することで、ローラ全体の耐久性が著しく損なわれることになる。
【０００８】
また、ガイドローラを支持する構造体（ブラケット）には、片端支持型と両端支持型あるいは可逆回転するローラを支持する構造体があるが、特に両端支持型における堆積によるトラブルが多い。
そこで、この考案は、上述の問題を解決することにある。
【課題を解決するための手段】
【０００９】
上記の課題を解決するために、この考案は、ベルトコンベヤのキャリヤベルトの両側縁外側に設けてある柱材に上下両端からベルトの側縁に向く上側アーム及び下側アームを有する支持構造体の上下間中央を水平な支軸を介し傾動自在に取り付け、上記上側アーム及び下側アームの尖端に縦型ローラのセンタ支軸の上下端を支持したベルトの蛇行調整装置において、上記ローラの端面或いは上側アームや下側アームの上記ローラに対向する位置に堆積した粉塵堆積物を破砕する突起体を設けた構成を採用する。
【００１０】
また、突起体が、先端先細り形状になり、その先細り尖端がローラの周面方向に向けた構成を採用することもある。
【考案の効果】
【００１１】
以上のように、この考案の縦型ローラの堆積物の除去装置によれば、縦型なローラの端面或いは縦型なローラの支軸の両端支持上側アーム、下側アームに粉塵の堆積物を破砕する突起体を設けてあるので、ローラの回転にともない突起体により堆積物を破砕しながら飛散させることができる。
【００１２】
このため、堆積物によるローラのスムーズな回転を阻害する問題をなくすると共に、ローラの耐久性を著しく向上するなどの利点がある。
【００１３】
また、突起体の突出する尖端を先細りにして、この先細り尖端側をローラの周面側に向くようにしてあるので、ベルトの走行方向に関係なく（可逆走行にともなう）堆積物を破砕することもできる。
【図面の簡単な説明】
【００１４】
【図１】この考案の実施形態を示す縦断正面図である。
【図２】同上の要部を示す一部切欠拡大正面図である。
【図３】同拡大側面図である。
【図４】同拡大平面図である。
【図５】同上の下面図である。
【図６】ローラ及び支持部材の一部切欠拡大正面図である。
【図７】同上の分解斜視図である。
【図８】蛇行調整時のローラの傾動を示す拡大側面図である。
【考案を実施するための形態】
【００１５】
次に、この考案の実施形態を添付図面に基づいて説明する。
図１から図８に示すＡは、ガイドとしての縦型に使用するローラで、このローラＡは、周知（図６に示す）のように、中心の貫通孔１の両端部に組み込んであるベアリング２により挿入支軸３の両端部を支軸３に対しローラＡがフリーに回転するように軸承すると共に、ローラＡの端面から内部に粉塵や水滴が侵入しないように、貫通孔１の端面に（図示省略してあるが、ラビリンスの手前に）シール保護カバー４をセットしてある。
【００１６】
なお、図示の場合、ローラＡの両端に鍔５を設けたが、必ずしも鍔を設ける必要がないこともある。
【００１７】
上記のローラＡは、図に示すように、ベルトコンベヤＢのベルトｂに蛇行を調整するため、ベルトｂの両側縁の外側に配置した。
【００１８】
なお、ベルトｂのキャリヤ側は、図１に示すようにセンタローラ６及びその両側にサイドローラ７を配置してトラフ状にベルトｂを支承し、リターン側のベルトｂは、リターンローラ８で支承してある。
【００１９】
上記の蛇行調整用としてのローラＡは、図１から図７に示すように、コンベヤフレームＣから起立する柱材９の上部に、上下縁からベルトｂの側縁方向に突出する板状の上側アーム１０及び板状の下側アーム１１を有する板状のローラ支持構造体１２の両側縁間中央を支軸１３を介し揺動可能に（ベルトｂの長手方向の両側が昇降するように）支持し、支持構造体１２のベルトｂの走行方向と走行方向の反対方向両側に両端が上下に位置するよう支軸１３を中心とする同心円の弧状孔１４、１４を設け、この弧状孔１４、１４に支持構造体１２に取り付けてある上下一対のピン１５を貫通させて、支持構造体１２の時計、反時計方向の揺動にともなう停止位置決めを（弧状孔１４の上端と上側ピン１５の、また弧状孔１４の下端と下側ピン１５の当接により）行い、そして支持構造体１２の上側アーム１０及び下側アーム１１の中間と両側とに三本の並列するローラＡの各支軸３の両端を不回転状態に取り付けてある。
【００２０】
すると、ベルトコンベヤＢの運転にともないベルトｂ上の搬送物Ｘの片荷などの原因によりベルトｂが蛇行する。
【００２１】
蛇行にともないベルトｂの横移動方向の側縁が並列ガイドのローラＡの周面に当接してベルトｂの蛇行を阻止しようとする。
【００２２】
そして、ベルトｂの走行方向の力とローラＡの回転方向の力とによりベルトｂに押し下げようとする力が発生してベルトｂを中央に押し戻そうとする。
【００２３】
すなわち、支持構造体１２のベルトｂの走行方向反対側一端が上方に傾動して、支持構造体１２の一端側ローラＡが上昇するのに対し、支持構造体１２のベルトｂ走行方向他端側が下方に傾動して、支持構造体１２の他端側ローラＡが降下する。
【００２４】
このため、ベルトｂは、中央に戻ろうとするので、ベルトｂの蛇行を自動的に修正しようとする（この上記作用は、特開２０１５−１４５２９１号公報と同様につき、更に詳細な説明を省略する。）
【００２５】
上記支持構造体１２に対する各ローラＡの支持としては、図３、４、６、７、８に示すように、上側アーム１０の突出方向端縁から内方に切欠き２１を、下側アーム１１に角孔２２を設けて、まず、角孔２２に支軸３の下位端の各軸２３を嵌入して支軸３を不回転状態に支持し、切欠き２１に支軸３の上位端部の角軸２４を嵌め込んで支軸３を不回転状態に支持する。
【００２６】
その後に、上側アーム１０の上面に板状体２５を重ねる。
このとき、板状体２５に設けてある孔２６を支軸３の上端支軸２７を貫通させ、また板状体２５に設けてある対の角窓２８に上側アーム１０の上面の角突起２９を嵌め合わせ、然るのち、角突起２９の孔３０に針金３１を挿通し、かつ針金３１を抜けないように結んで処理することで、損傷などの回転不能の故障したローラＡの取り付け、交換ができるようにしたが、限定されず、その他の手段でローラＡを取り付けることもある。
【００２７】
また、ローラＡの上端面には、常にベルトｂ上の搬送物Ｘの飛散にともない粉塵が（図６に示すように）堆積する。
【００２８】
上記堆積する堆積物Ｙは、ローラＡの上端面以外に、図６に示すように、下側アーム１１上にも堆積する。
【００２９】
この堆積した堆積物Ｙは、ローラＡの回転にともない突起体Ｔにより（スクレーパそして役目もする）破砕し、かつ分散させるようになっている。
【００３０】
上記の突起体Ｔは、図示の場合、ローラＡの上端面や下端面の周縁部側に設けたが、限定されず、ローラＡの上端面のみの堆積物Ｙの多い側のみ或いは上下端面の両方に設けて、下側アーム１１上の堆積物Ｙをも破砕し、かつ分散（飛散させるため）することができる。
【００３１】
勿論、突起体Ｔは、ローラＡ側に限定されず、上側アーム１０の下面や下側アーム１１の上面に設けて目的を達成することもある。
上記の突起体Ｔは、図示の場合、ビス３２を介し取り付けた。
【００３２】
上記のように構成すると、ローラＡの端面側や上側アーム１０や下側アーム１１上の堆積物Ｙを突起体Ｔにより破砕し、かつローラＡの回転により飛散させて、堆積物Ｙによる不都合を解消することができる。
【００３３】
さらに、突起体Ｔを、先細り状にして、先細り尖端をローラＡの周縁方向に向けることで、ローラＡの回転方向に制約を受けることなく、すなわち、ベルトｂがいずれの方向に走行しても堆積物Ｙの破砕を良好に行うことができる。
【００３４】
なお、堆積物Ｙを破砕、除去する突起体Ｔの取付位置は、ローラＡの端面側或いは上側アーム１０や下側アーム１１の上面に適宜決定すればよい。
【００３５】
要するに、突起体Ｔにより堆積した堆積物Ｙを破砕或いは崩壊させ、かつ飛散させる目的を達成できるものとすればよい。
【符号の説明】
【００３６】
Ａ    ローラ
Ｂ    ベルトコンベヤ
ｂ    ベルト
Ｃ    コンベヤフレーム
Ｘ    搬送物
Ｙ    堆積物
Ｔ    突起体
１    貫通孔
２    ベアリング
３    支軸
４    保護カバー
５    鍔
６    センタローラ
７    サイドローラ
８    リターンローラ
９    柱材
１０  上側アーム
１１  下側アーム
１２  支持構造体
１３  軸
１４  弧状孔
１５  ピン
２１  切欠き
２２  角孔
２３  角軸
２４  角軸
２５  板状体
２６  孔
２７  突軸
２８  角窓
２９  角突起
３０  孔
３１  針金
３２  ビス
【図１】
0003220709.tif 000003
【図２】
0003220709.tif 000004
【図３】
0003220709.tif 000005
【図４】
0003220709.tif 000006
【図５】
0003220709.tif 000007
【図６】
0003220709.tif 000008
【図７】
0003220709.tif 000009
【図８】
0003220709.tif 000010